(57)【要約】【課題】軸受部材等を用いずに、固定子ユニットに回転子ユニットを回転可能にする。【解決手段】本発明の絞り装置が備える絞り駆動モータ６は、固定子ユニット３７と回転子ユニット３８を有する。固定子ユニット３７はボビン４１を有し、回転子ユニット３８は永久磁石５１と作動部材５２を有する。ボビン４１は、軸受孔４５が設けられた収容空間４４と、先端部に軸受孔４９が形成された可動アーム４８とを一体に有する。作動部材５２は、永久磁石５１を収納する収納枠５３と、一対の回転軸部５４ａ，５４ｂとを有する。可動アーム４８は、永久磁石５１を収容空間４４に収容する際に、回転軸部５４ｂに押し上げられて弾性変形することにより、回転軸部５４ｂが軸受孔４９に嵌合することを許容する。回転子ユニット３８は、回転軸部５４ａを軸受孔４５に嵌合させ、回転軸部５４ｂを軸受孔４９に嵌合させることにより、固定子ユニット３７に回転可能に支持される。【選択図】図１０
2013073203.tif 000002
【特許請求の範囲】
【請求項１】
入射光を通過させる絞り開口を形成する絞り部材と、前記絞り部材を駆動する駆動モータとを備える絞り装置であって、
前記駆動モータは、
ボビンを有する固定子ユニットと、
前記ボビンに収容される永久磁石と、前記永久磁石が実装されるとともに、前記永久磁石の内部を通るように設定された仮想軸上で上方および下方に突出する一対の回転軸部が設けられた作動部材とを有し、前記仮想軸を中心に回転する回転子ユニットとを備え、
前記ボビンは、前記永久磁石を収容するとともに、第１の軸受孔が底部に設けられた収容空間と、前記収容空間の上部に前記第１の軸受孔と対向する状態で第２の軸受孔が形成され、かつ前記第２の軸受孔の形成部位側が上下方向に弾性変形可能とされた可動アームとを一体に有し、
前記可動アームは、前記永久磁石を前記ボビンの収容空間に収容する際に、前記一対の回転軸部のうち、上方に突出する回転軸部に押し上げられて弾性変形することにより、当該回転軸部が前記第２の軸受孔に嵌合することを許容するものであり、
前記回転子ユニットは、前記一対の回転軸部のうち、下方に突出する回転軸部を前記第１の軸受孔に嵌合させるとともに、前記上方に突出する回転軸部を前記第２の軸受孔に嵌合させることにより、前記仮想軸を中心として前記固定子ユニットに回転可能に支持されるものである
ことを特徴とする絞り装置。
【請求項２】
前記ボビンの収容空間の底部に、当該収容空間の入口部分から前記第１の軸受孔の形成部位に向かって徐々に高くなる傾斜を有する案内面が形成されている
ことを特徴とする請求項１に記載の絞り装置。
【請求項３】
前記第２の軸受孔は、前記可動アームの先端部に形成され、
前記ボビンには、前記可動アームの先端部の上方を経由するようにコイルが巻線され、
前記可動アームの先端部とこれに対向する前記コイルの巻線位置との間には、前記可動アームの最大の押し上げ量以上の空隙が確保されている
ことを特徴とする請求項１または２に記載の絞り装置。
【請求項４】
入射光を通過させる絞り開口を調整する絞り装置に用いられる駆動モータであって、
ボビンを有する固定子ユニットと、
前記ボビンに収容される永久磁石と、前記永久磁石が実装されるとともに、前記永久磁石の内部を通るように設定された仮想軸上で上方および下方に突出する一対の回転軸部が設けられた作動部材とを有し、前記仮想軸を中心に回転する回転子ユニットとを備え、
前記ボビンは、前記永久磁石を収容するとともに、第１の軸受孔が底部に設けられた収容空間と、前記収容空間の上部に前記第１の軸受孔と対向する状態で第２の軸受孔が形成され、かつ前記第２の軸受孔の形成部位側が上下方向に弾性変形可能とされた可動アームとを一体に有し、
前記可動アームは、前記永久磁石を前記ボビンの収容空間に収容する際に、前記一対の回転軸部のうち、上方に突出する回転軸部に押し上げられて弾性変形することにより、当該回転軸部が前記第２の軸受孔に嵌合することを許容するものであり、
前記回転子ユニットは、前記一対の回転軸部のうち、下方に突出する回転軸部を前記第１の軸受孔に嵌合させるとともに、前記上方に突出する回転軸部を前記第２の軸受孔に嵌合させることにより、前記仮想軸を中心として前記固定子ユニットに回転可能に支持されるものである
ことを特徴とする駆動モータ。
【請求項５】
請求項１〜３のいずれか一項に記載の絞り装置と、
前記絞り開口を通して入射する光を電気信号に変換する光電変換素子と、
を備えることを特徴とするカメラ。
【発明の詳細な説明】
【技術分野】
【０００１】
本発明は、絞り開口を調整する絞り装置と、これに用いられる駆動モータ、およびカメラに関する。
【背景技術】
【０００２】
監視カメラを含む各種のカメラには、外部から入射する光の量（以下、「入射光量」と記す）を調整するための絞り装置が組み込まれている。絞り装置は、入射光の光路上に存在する絞り開口の大きさを変えることによって入射光量を調整（適正化）するものである。絞り装置の仕組みとして、絞り部材の移動によって光量調整を行うものがある。具体的には、絞り部材として、一対の絞り羽根を用いるとともに、当該一対の絞り羽根を駆動する駆動モータとして、永久磁石を用いたものが公知となっている（たとえば、特許文献１〜３を参照）。
【０００３】
図１２は従来の絞り装置に用いられている駆動モータの概略的な構成例を示す分解斜視図である。また、図１３は駆動モータの回転子ユニットの構成を示す分解斜視図であり、図１４は駆動モータの組み立て状態を示す断面図である。駆動モータ１０１は、図１２に示すように、回転子ユニット１０２と、固定子ユニット１０３と、軸受部材１０４と、ヨーク１０５とを備えた構成になっている。
【０００４】
回転子ユニット１０２は、図１３に示すように、永久磁石１０６と、作動部材１０７とを備えている。永久磁石１０６は、ヨーク１０５の外形（円筒形）にあわせて全体に円柱形に形成されている。永久磁石１０６は、円形断面の一方の半月部分をＮ極側とし、他方の半月部分をＳ極側として磁化されている。永久磁石１０６の中心軸には、当該中心軸に沿って軸孔１０８が形成されている。また、永久磁石１０６の外周面の一部には、切り欠き部１０９が形成されている。切り欠き部１０９は、永久磁石１０６の直径方向の一方と他方に対をなして形成されている。
【０００５】
作動部材１０７は、たとえば、樹脂の一体成型品によって構成されている。作動部材１０７は、基部１１０と、一対のレバー部１１１と、軸部１１２とを一体に有している。基部１１０は、永久磁石１０６の外形に対応して板状に形成されている。基部１１０には、永久磁石１０６の切り欠き部１０９に対応して一対の立ち上がり部１１３が形成されている。一対のレバー部１１１は、基部１１０の外縁部から一方と他方に延びるように形成されている。また、一対のレバー部１１１は、それぞれクランク形状に曲げて形成されている。各々のレバー部１１１の先端部には爪部１１４が形成されている。爪部１１４は、図示しない絞り羽根の係合孔に差し込んで引っ掛けられる部分である。軸部１１２は、基部１１０の中心部から垂直に起立する状態で形成されている。軸部１１２は、基部１１０の上方に大きく突出するとともに、基部１１０の下方にも少し突出している。軸部１１２の一端と他端には、それぞれ小径部１１５が形成されている。軸部１１２の外径（小径部１１５を除く）は、上述した永久磁石１０６の軸孔１０８の孔径に対応している。
【０００６】
上記構成からなる永久磁石１０６と作動部材１０７とを用いて回転子ユニット１０２を組み立てる場合は、まず、作動部材１０７の軸部１１２に永久磁石１０６の軸孔１０８を嵌合させた状態で、作動部材１０７に永久磁石１０６を実装する。このとき、永久磁石１０６の切り欠き部１０９を作動部材１０７の立ち上がり部１１３に嵌め入れる。この状態で、たとえば接着剤等を用いて永久磁石１０６と作動部材１０７を相互に固定する。これにより、永久磁石１０６と作動部材１０７を一体化した構成の回転子ユニット１０２が得られる。
【０００７】
固定子ユニット１０３は、ボビン１１７と、２つのコイル１１８，１１９とを備えている。ボビン１１７は、たとえば、樹脂の一体成型によって得られるものである。ボビン１１７の内部には収容空間１２０が形成されている。収容空間１２０に面するボビン１１７の底部上面には軸受孔１２１が形成されている。コイル１１８，１１９は、ボビン１１７に巻かれている。コイル１１８，１１９の巻線位置は、両コイル間に介在するセパレータ１２２によって区切られている。セパレータ１２２は、ボビン１１７に一体に形成されている。また、ボビン１１７の上部には、左右に対をなして２つの凹状部１２３が形成されている。
【０００８】
軸受部材１０４は、たとえば、樹脂の一体成型によって得られるものである。軸受部材１０４には、上述した２つの凹状部１２３に対応して２つ（図では１つのみ表示）の凸状部１２５が形成されている。また、軸受部材１０４には、軸受片１２６と保護片１２７とが一体に形成されている。軸受片１２６には軸受孔１２８が形成されている。
【０００９】
ヨーク１０５は、全体に円筒形に形成されている。ヨーク１０５の内部空間は、上述した回転子ユニット１０２、固定子ユニット１０３および軸受部材１０４を収容し得る大きさになっている。
【００１０】
上記構成からなる回転子ユニット１０２、固定子ユニット１０３、軸受部材１０４およびヨーク１０５を用いて、駆動モータ１０１を組み立てる場合は、まず、コイル１１８，１１９を巻線済みのボビン１１７を用意する。次に、軸受部材１０４の軸受片１２６の軸受孔１２８を、回転子ユニット１０２の軸部１１２上端の小径部１１５に嵌合させた状態で、回転子ユニット１０２に軸受部材１０４を装着する。
【００１１】
次に、軸受部材１０４を装着した状態の回転子ユニット１０２を、ボビン１１７の収容空間１２０に挿入する。このとき、一対のレバー部１１１の先端部（爪部１１４）は、ボビン１１７の外側に若干突出した状態となる。また、ボビン１１７の内部では、当該ボビン１１７の軸受孔１２１に、回転子ユニット１０２の軸部１１２下端の小径部１１５を嵌め入れる。
【００１２】
また、軸受部材１０４の保護片１２７は、ボビン１１７に巻かれたコイル１１８，１１９の上方を覆うように配置する。さらに、ボビン１１７に対して軸受部材１０４を横方向から押し付けることにより、ボビン１１７の２つの凹状部１２３に、軸受部材１０４の２つの凸状部１２５をそれぞれ嵌め入れる。これにより、図１４に示すように、回転子ユニット１０２、固定子ユニット１０３および軸受部材１０４が一体的に組み付けられた状態となる。この状態でボビン１１７の外側にヨーク１０５を被せるとともに、図示しない中継基板と、各コイル１１８，１１９に導通する複数の端子１２９とを電気的に接続することにより、駆動モータ１０１が得られる。
【先行技術文献】
【特許文献】
【００１３】
【特許文献１】特許第３７４６１５０号公報
【特許文献２】特開平１０−３３３２０６号公報
【特許文献３】特開平１１−１８３９６２号公報
【発明の概要】
【発明が解決しようとする課題】
【００１４】
上記従来の駆動モータ１０１においては、ボビン１１７の横方向から回転子ユニット１０２を挿入できるように、収容空間１２０の高さ寸法を軸部１１２の長さ寸法よりも十分に大きく設定している。また、ボビン１１７の収容空間１２０では、軸部１１２の上下端の小径部１１５を、それぞれに対応する軸受孔１２１，１２８に嵌合させることにより、回転子ユニット１０２を回転可能に支持している。このため、ボビン１１７に回転子ユニット１０２を取り付けるための部材として軸受部材１０４が必要とされていた。
【００１５】
しかしながら、軸受部材１０４を用いた構成では、単に部品点数が増加するだけでなく、駆動モータ１０１の組み立てが面倒になる。特に、固定子ユニット１０３に回転子ユニット１０２を組み付ける工程では、回転子ユニット１０２の軸部１１２と軸受部材１０４の軸受孔１２８との嵌合状態を維持しながら、これらをボビン１１７の収納空間１２０に組み込むという煩雑な作業が必要になる。
【００１６】
本発明の主な目的は、従来必要とされていた軸受部材等を用いなくても、固定子ユニットに回転子ユニットを回転可能に取り付けることができる技術を提供することにある。
【課題を解決するための手段】
【００１７】
本発明の第１の態様は、
入射光を通過させる絞り開口を形成する絞り部材と、前記絞り部材を駆動する駆動モータとを備える絞り装置であって、
前記駆動モータは、
ボビンを有する固定子ユニットと、
前記ボビンに収容される永久磁石と、前記永久磁石が実装されるとともに、前記永久磁石の内部を通るように設定された仮想軸上で上方および下方に突出する一対の回転軸部が設けられた作動部材とを有し、前記仮想軸を中心に回転する回転子ユニットとを備え、
前記ボビンは、前記永久磁石を収容するとともに、第１の軸受孔が底部に設けられた収容空間と、前記収容空間の上部に前記第１の軸受孔と対向する状態で第２の軸受孔が形成され、かつ前記第２の軸受孔の形成部位側が上下方向に弾性変形可能とされた可動アームとを一体に有し、
前記可動アームは、前記永久磁石を前記ボビンの収容空間に収容する際に、前記一対の回転軸部のうち、上方に突出する回転軸部に押し上げられて弾性変形することにより、当該回転軸部が前記第２の軸受孔に嵌合することを許容するものであり、
前記回転子ユニットは、前記一対の回転軸部のうち、下方に突出する回転軸部を前記第１の軸受孔に嵌合させるとともに、前記上方に突出する回転軸部を前記第２の軸受孔に嵌合させることにより、前記仮想軸を中心として前記固定子ユニットに回転可能に支持されるものである
ことを特徴とする絞り装置である。
【００１８】
本発明の第２の態様は、
前記ボビンの収容空間の底部に、当該収容空間の入口部分から前記第１の軸受孔の形成部位に向かって徐々に高くなる傾斜を有する案内面が形成されている
ことを特徴とする上記第１の態様に記載の絞り装置である。
【００１９】
本発明の第３の態様は、
前記第２の軸受孔は、前記可動アームの先端部に形成され、
前記ボビンには、前記可動アームの先端部の上方を経由するようにコイルが巻線され、
前記可動アームの先端部とこれに対向する前記コイルの巻線位置との間には、前記可動アームの最大の押し上げ量以上の空隙が確保されている
ことを特徴とする上記第１または第２の態様に記載の絞り装置である。
【００２０】
本発明の第４の態様は、
入射光を通過させる絞り開口を調整する絞り装置に用いられる駆動モータであって、
ボビンを有する固定子ユニットと、
前記ボビンに収容される永久磁石と、前記永久磁石が実装されるとともに、前記永久磁石の内部を通るように設定された仮想軸上で上方および下方に突出する一対の回転軸部が設けられた作動部材とを有し、前記仮想軸を中心に回転する回転子ユニットとを備え、
前記ボビンは、前記永久磁石を収容するとともに、第１の軸受孔が底部に設けられた収容空間と、前記収容空間の上部に前記第１の軸受孔と対向する状態で第２の軸受孔が形成され、かつ前記第２の軸受孔の形成部位側が上下方向に弾性変形可能とされた可動アームとを一体に有し、
前記可動アームは、前記永久磁石を前記ボビンの収容空間に収容する際に、前記一対の回転軸部のうち、上方に突出する回転軸部に押し上げられて弾性変形することにより、当該回転軸部が前記第２の軸受孔に嵌合することを許容するものであり、
前記回転子ユニットは、前記一対の回転軸部のうち、下方に突出する回転軸部を前記第１の軸受孔に嵌合させるとともに、前記上方に突出する回転軸部を前記第２の軸受孔に嵌合させることにより、前記仮想軸を中心として前記固定子ユニットに回転可能に支持されるものである
ことを特徴とする駆動モータである。
【００２１】
本発明の第５の態様は、
上記第１〜第３の態様のいずれか一つに記載の絞り装置と、
前記絞り開口を通して入射する光を電気信号に変換する光電変換素子と、
を備えることを特徴とするカメラである。
【発明の効果】
【００２２】
本発明によれば、絞り装置に用いられる駆動モータについて、従来必要とされていた軸受部材等を用いなくても、固定子ユニットに回転子ユニットを回転可能に取り付けることが可能となる。これにより、駆動モータの部品点数の削減と組み立て工数の削減を同時に図ることができる。
【図面の簡単な説明】
【００２３】
【図１】本発明が適用されるカメラの構成例を示す図である。
【図２】本発明の実施の形態に係る絞り装置の平面図である。
【図３】図２のＰ矢視図である。
【図４】本発明の実施の形態に係る絞り装置の底面図である。
【図５】本発明の実施の形態に係る絞り装置の分解斜視図である。
【図６】絞り駆動モータを斜め上方から見たときの分解斜視図である。
【図７】絞り駆動モータを斜め下方から見たときの分解斜視図である。
【図８】絞り駆動モータの回転子ユニットの断面図である。
【図９】絞り駆動モータの回転子ユニットの分解斜視図である。
【図１０】絞り駆動モータの断面図である。
【図１１】絞り駆動モータの各構成部分の相対的な位置関係を模式的に示す平面図である。
【図１２】従来の絞り装置に用いられている駆動モータの概略的な構成例を示す分解斜視図である。
【図１３】駆動モータの回転子ユニットの構成を示す分解斜視図である。
【図１４】駆動モータの組み立て状態を示す断面図である。
【発明を実施するための形態】
【００２４】
以下、本発明の実施の形態について図面を参照しつつ詳細に説明する。
本発明の実施の形態においては、次の順序で説明を行う。
１．カメラの構成
２．絞り装置の構成
３．絞り装置の動作
４．絞り駆動モータの詳細構成
５．実施の形態に係る効果
６．変形例等
【００２５】
＜１．カメラの構成＞
図１は本発明が適用されるカメラの構成例を示すもので、（Ａ）はカメラ全体の外観図、（Ｂ）は鏡筒内部の概略図である。図示したカメラ１５０は、たとえば、防犯目的に建物の天井部分（又は壁など）に設置される監視カメラである。このカメラ１５０は、取り付け台座１５１と、カメラ本体１５２とを備えている。取り付け台座１５１は、たとえば、ねじ止めによって建物の天井部分に固定される構造になっている。
【００２６】
カメラ本体１５２は、鏡筒部１５３と、対物レンズ１５４とを備えている。鏡筒部１５３の内部には、対物レンズ１５４を含む光学系が組み込まれている。対物レンズ１５４は、鏡筒部１５３の先端に取り付けられている。また、カメラ本体１５２には、光学系の一機能部として、絞り装置１と撮像素子１５５とが組み込まれている。絞り装置１については、後段で詳しく説明する。
【００２７】
撮像素子１５５は、カラー撮影が可能な撮像素子であって、たとえば、ＣＣＤ（Charge Coupled Device）撮像素子、ＣＭＯＳ（Complementary Metal Oxide Semiconductor）撮像素子などで構成される。撮像素子１５５は、たとえば、複数（多数）の画素を行列状に配置した撮像面を有する。撮像素子１５５は、絞り装置１の絞り開口を通して撮像面に入射する光を電気信号に変換する光電変換素子の一例として組み込まれている。
【００２８】
なお、本発明は、ここで例示したカメラ１５０に限らず、絞り装置１を備える他の構成のカメラにも適用可能である。また、光学系の構成としても、レンズの種類・枚数・配置や、絞り装置１の配置等、種々の変更が可能である。
【００２９】
＜２．絞り装置の構成＞
図２は本発明の実施の形態に係る絞り装置の平面図、図３は図２のＰ矢視図、図４はこの絞り装置の底面図である。また、図５は本発明の実施の形態に係る絞り装置の分解斜視図である。図示した絞り装置１は、大きくは、絞り基板２と、一対（２つ）の絞り羽根３，４と、フィルタユニット５と、絞り開口の調整を行うための駆動モータ（以下、「絞り駆動モータ」と記す）６と、光学フィルタの切り替えを行うための駆動モータ（以下、「フィルタ駆動モータ」と記す）７と、カバー部材８と、配線ユニット９とを備えた構成となっている。ただし、図５においては、絞り駆動モータ６とフィルタ駆動モータ７の表記を省略している。
【００３０】
（絞り基板：図２〜図５）
絞り基板２は、絞り装置１のベースとなる部材である。絞り基板２は、たとえば、樹脂を用いて構成されている。絞り基板２は、図５に示すように、主に３つの基板部分１１，１２，１３に分かれている。ただし、３つの基板部分１１，１２，１３は一体構造になっている。基板部分１１は、一対の絞り羽根３，４およびフィルタユニット５が取り付けられる部分である。基板部分１２は、絞り駆動モータ６が搭載される部分であり、基板部分１３は、フィルタ駆動モータ７が搭載される部分である。このうち、基板部分１１には開口部１４が形成されている。また。基板部分１２には凹部１５が形成され、基板部分１３には凹部１６が形成されている。開口部１４は、絞り基板２の板厚方向に入射光を通過させるためのものである。凹部１５は、絞り駆動モータ６を受け入れる部分であり、凹部１６は、フィルタ駆動モータ７を受け入れる部分である。
【００３１】
（絞り羽根、図２、図５）
一対の絞り羽根３，４は、入射光を通過させる絞り開口を形成する絞り部材の一例として設けられたものである。一対の絞り羽根３，４は、互いに重なり合った状態で絞り開口を形成する。絞り開口とは、カメラに入射する光の光路（入射光路）上に位置し、そこを通過する光の量を制限する開口をいう。このため、絞り開口の大きさが相対的に大きくなると、そこを通過する光の量（入射光量）が相対的に増大し、絞り開口の大きさが相対的に小さくなると、そこを通過する光の量が相対的に減少する。一対の絞り羽根３，４は、たとえば、ポリエチレンテレフタレート（ＰＥＴ）からなる板状素材の表面をカーボンの膜で被覆したものを用いて構成されている。各々の絞り羽根３，４は、全体的に薄板状に形成されている。
【００３２】
一方の絞り羽根３には、１つの孔部１７と、３つの案内溝１８ａ，１８ｂ，１８ｃと、１つの係合孔１９とが設けられている。孔部１７は、真円またはそれに近い円形状をなし、この円形状の一部をＶ字形に切り欠いた形態の平面形状を有している。孔部１７の一部（Ｖ字形の切り欠き部分）には、ＮＤ（Neutral Density）フィルタ２０が取り付けられている。３つの案内溝１８ａ，１８ｂ，１８ｃは、絞り羽根３の長手方向に沿って互いに平行に形成されている。３つの案内溝１８ａ，１８ｂ，１８ｃのうち、２つの案内溝１８ｂ，１８ｃは、同一直線上に形成されている。そして、これら２つの案内溝１８ｂ，１８ｃに対して、孔部１７を挟んだ反対側の縁部に、残り１つの案内溝１８ａが形成されている。係合孔１９は、上記２つの案内溝１８ｂ，１８ｃの延長線上に形成されている。また、係合孔１９は、絞り羽根３の短手方向に沿って平面視長孔状に形成されている。
【００３３】
他方の絞り羽根４には、１つの切り欠き部２１と、３つの案内溝２２ａ，２２ｂ，２２ｃと、１つの係合孔２３とが設けられている。切り欠き部２１は、Ｕ字形に切り欠いた形態の平面形状を有している。切り欠き部２１の底部はＶ字形に形成され、このＶ字形の部分にＮＤフィルタ２４が取り付けられている。切り欠き部２１は、先述した孔部１７との重なりによって絞り開口を形成する部分である。３つの案内溝２２ａ，２２ｂ，２２ｃは、絞り羽根４の長手方向に沿って互いに平行に形成されている。３つの案内溝２２ａ，２２ｂ，２２ｃのうち、２つの案内溝２２ａ，２２ｂは、同一直線上に形成されている。そして、これら２つの案内溝２２ａ，２２ｂに対して、切り欠き部２１を挟んだ反対側の縁部に、残り１つの案内溝２２ｃが形成されている。係合孔２３は、上記２つの案内溝２２ａ，２２ｂの延長線上に形成されている。また、係合孔２３は、絞り羽根４の短手方向に沿って平面視長孔状に形成されている。
【００３４】
（フィルタユニット：図４、図５）
フィルタユニット５は、光学的なフィルタ機能を果たすものである。フィルタユニット５は、２つの光学フィルタ２６，２７と、これら２つの光学フィルタ２６，２７を平面的に並べた状態で支持するフィルタ支持部材２８とを用いて構成されている。
【００３５】
２つの光学フィルタ２６，２７は、たとえば、次のようなフィルタを組み合わせた構成になっている。すなわち、一方の光学フィルタ２６は、赤外線カットフィルタによって構成され、他方の光学フィルタ２７は、ダミーフィルタによって構成されている。赤外線カットフィルタは、たとえば、赤外線を吸収することによって当該赤外線の通過を遮断する特性を有する光学フィルタである。ダミーフィルタは、赤外線カットフィルタと等しい屈折率を有する光学フィルタである。
【００３６】
フィルタユニット５に赤外線カットフィルタとダミーフィルタを設ける理由は、光学フィルタの配置状態を切り替えたときに、その切り替えの前後で焦点距離（光学系の主点から焦点までの距離）にずれが生じないようにするためである。さらに詳述すると、ダミーフィルタがない場合は、赤外線カットフィルタを入射光路上に配置した状態と配置しない状態で、そこを通過する光の屈折率の差によって焦点距離にずれが生じる。これに対して、赤外線カットフィルタと差し替えるかたちでダミーフィルタを入射光路上に配置すれば、光の屈折率差による焦点距離のずれが解消される。以上の理由でフィルタユニット５にダミーフィルタを設けている。ただし、２つの光学フィルタ２６，２７を設ける理由は、これ以外の理由であってもかまわない。
【００３７】
（絞り駆動モータ：図２、図３）
絞り駆動モータ６は、絞り装置１において絞り部材を駆動するための駆動モータである。より具体的には、絞り駆動モータ６は、一対の絞り羽根３，４が形成する絞り開口を調整するために、一対の絞り羽根３，４を相対的に移動させる駆動源となるモータである。
【００３８】
（フィルタ駆動モータ：図２、図３）
フィルタ駆動モータ７は、絞り装置１において光学フィルタを駆動するための駆動モータである。より具体的には、フィルタ駆動モータ７は、光学フィルタ２６，２７の配置状態を切り替えるために、フィルタユニット５を移動させる駆動源となるモータである。
【００３９】
（カバー部材：図４、図５）
カバー部材８は、絞り基板２の基板部分１２，１３の裏側に取り付けられる板状の部材である。カバー部材８には２つの取付片８ａ（図５を参照）が一体に形成されている。これらの取付片８ａは、絞り基板２にカバー部材８を取り付けるためのものである。カバー部材８は、絞り基板２に搭載される絞り駆動モータ６およびフィルタ駆動モータ７の各動力伝達機構部分を外部から遮蔽して保護する部材である。
【００４０】
（配線ユニット：図２〜図４）
配線ユニット９は、絞り駆動モータ６およびフィルタ駆動モータ７を図示しないモータ制御回路に電気的に接続するためのものである。配線ユニット９は、絞り駆動モータ６の中継基板３４に接続される４本の配線３５ａと、フィルタ駆動モータ７の中継基板３６に接続される２本の配線３５ｂとを備えている。４本の配線３５ａの端部にはコネクタ４０ａが装着され、２本の配線３５ｂの端部にはコネクタ４０ｂが装着されている。
【００４１】
＜３．絞り装置の動作＞
（絞り動作）
次に、絞り装置の絞り動作について説明する。
絞り動作とは、一対の絞り羽根３，４が形成する絞り開口の大きさを変える動作をいう。より具体的に記述すると、絞り動作とは、一対の絞り羽根２，３を相対的に移動させることにより、絞り開口を調整する動作をいう。絞り装置において絞り開口を調整する動作は、絞り装置を備えるカメラにおいて入射光量を調整する動作と実質的に同一である。
【００４２】
実際に絞り装置１で絞り開口を調整する場合は、絞り駆動モータ６を駆動する。具体的には、絞り駆動モータ６が備えるコイルへの通電によって磁界を形成する。そうすると、コイルへの通電によって形成される磁界の向きおよび強さに応じて、一対の絞り羽根３，４が絞り基板２の長手方向（図５のＸ方向）に移動する。このとき、一方の絞り羽根３が移動する方向と他方の絞り羽根４が移動する方向とは、互いに逆方向になる。このように一対の絞り羽根３，４を相対的に移動させると、絞り羽根３，４の重なり合いによって形成される絞り開口の大きさが変化する。このため、絞り駆動モータ６の駆動によって絞り開口を調整することが可能となる。
【００４３】
（フィルタ切り替え動作）
次に、絞り装置のフィルタ切り替え動作について説明する。
フィルタ切り替え動作とは、光学フィルタ２６，２７の配置状態を切り替える動作をいう。より具体的に記述すると、フィルタ切り替え動作とは、上記の絞り開口を通る光路に一方の光学フィルタ２６を配置した第１の配置状態と、当該光路に他方の光学フィルタ２７を配置した第２の配置状態との間で、光学フィルタ２６，２７の配置を切り替える動作をいう。一方の光学フィルタ２６を光路に配置した場合は、他方の光学フィルタ２７が光路から退避した状態となり、他方の光学フィルタ２７を光路に配置した場合は、一方の光学フィルタ２６が光路から退避した状態となる。
【００４４】
実際に絞り装置１で光学フィルタ２６，２７の配置状態を切り替える場合は、フィルタ駆動モータ７を駆動する。具体的には、フィルタ駆動モータ７が備えるコイルへの通電によって磁界を形成する。そうすると、コイルへの通電によって形成される磁界の向きおよび強さに応じて、フィルタユニット５が絞り基板２の長手方向（図５のＸ方向）に移動する。このとき、たとえば、フィルタユニット５がＸ方向の一方に移動すると上記第１の配置状態となり、フィルタユニット５がＸ方向の他方に移動すると上記第２の配置状態となる。このため、フィルタ駆動モータ７の駆動によって光学フィルタ２６，２７の配置状態を切り替えることが可能となる。
【００４５】
＜４．絞り駆動モータの詳細構成＞
次に、絞り駆動モータの詳細な構成について説明する。
図６は絞り駆動モータを斜め上方から見たときの分解斜視図であり、図７は絞り駆動モータを斜め下方から見たときの分解斜視図である。また、図８は絞り駆動モータの回転子ユニットの断面図であり、図９は回転子ユニットの分解斜視図である。さらに、図１０は絞り駆動モータの断面図である。図示のように、絞り駆動モータ６は、上述した中継基板３４等の他に、固定子ユニット３７と、回転子ユニット３８と、ヨーク３９とを備えた構成になっている。
【００４６】
（固定子ユニット：図６、図７、図１０）
固定子ユニット３７は、ボビン４１と、２つのコイル４２，４３とを備えている。ボビン４１は、たとえば、樹脂の一体成型によって得られるものである。ボビン４１の内部には収容空間４４が形成されている。収容空間４４は、回転子ユニット３８を収容するための空間となる。収容空間４４に面するボビン４１の底部上面には、軸受孔（第１の軸受孔）４５と案内面４６が形成されている。軸受孔４５は、ボビン４１の底部上面の中央部に設けられている。案内面４６は、収容空間４４の入口部分から軸受孔４５の形成部分に向かって徐々に高くなる傾斜を有している。ボビン４１の外周部には、収容空間４４に通じる通孔４１ａ（図６を参照）が形成されている。
【００４７】
コイル４２，４３は、いずれも空芯コイルであって、互いに隣り合う状態でボビン４１に巻かれている。また、各々のコイル４２，４３は、上記の収容空間４４を取り囲むようにボビン４１に縦に巻かれている。２つのコイル４２，４３のうち、一方のコイルは駆動用のコイルであり、他方のコイルは位置検出用のコイルである。駆動用のコイルとは、回転子ユニット３８を回転動作させるための磁界（磁気駆動力）を発生するコイルをいう。位置検出用のコイルとは、回転子ユニット３８の回転方向の位置（向き）を検出するためのコイルをいう。ここでは一例として、コイル４２を駆動用のコイルとし、コイル４３を位置検出用のコイルとする。
【００４８】
そうした場合、駆動用のコイル４２は、図示しないモータ制御回路の電流供給部から電流を供給することにより、回転子ユニット３８を回転動作させるための磁界を発生する。このとき、コイル４２が発生する磁界の向きは、コイル４２に流れる電流の方向によって決まる。また、コイル４２が発生する磁界の強さは、コイル４２に流れる電流の量によって決まる。一方、位置検出用のコイル４３は、後述する永久磁石５１が回転したときの磁場の変化によってコイル４３に流れる電流を、図示しないモータ制御回路の電流検出部で検出することにより、回転子ユニット３８の回転方向の位置を検出可能とするものである。コイル４２，４３の巻線位置は、両コイル間に介在するセパレータ４７によって区切られている。セパレータ４７は、ボビン４１に一体に形成されている。
【００４９】
上述のようにコイル４２，４３が巻かれるボビン４１には、可動アーム４８（図１０を参照）が一体に形成されている。可動アーム４８の基端部は、収容空間４４の入口部分の上端に位置している。可動アーム４８の基端部の位置は固定されている。可動アーム４８は、収容空間４４の入口部分から収容空間４４の奥側（中心部側）に向かって斜め下方に延びている。このため、可動アーム４８の先端側は、可動アーム４８自身の撓みによって上下方向に弾性変形可能になっている。可動アーム４８の先端部には軸受孔（第２の軸受孔）４９が形成されている。また、可動アーム４８の先端部は収容空間４４の上部に位置し、そこに形成された軸受孔４９は、先述した軸受孔４５と上下方向で対向する状態に配置されている。また、２つの軸受孔４５，４９は、ほぼ同一の軸線上に配置されている。
【００５０】
さらに、ボビン４１には４つの端子５０が設けられている。端子５０は、金属等の導電材料によって構成されている。ボビン４１の上部において、コイル４２の隣に配置された２つの端子５０は、上述した中継基板３４とコイル４２とを電気的に接続するものである。一方、コイル４３の隣に配置された２つの端子５０は、中継基板３４とコイル４３とを電気的に接続するものである。４つの端子５０は、上述した４本の配線３５ａ（図２〜図４を参照）と１：１の関係で対応している。
【００５１】
（回転子ユニット、図６〜図１０）
回転子ユニット３８は、永久磁石５１と、作動部材５２とを備えている。永久磁石５１は、回転子ユニット３８自身に回転力を発生させるコアとなる磁石である。永久磁石５１は、たとえば、ネオジウム磁石、サマリウムコバルト磁石などの希土類磁石によって構成されている。
【００５２】
永久磁石５１は、角柱形に形成されている。さらに詳述すると、永久磁石５１は、図９に示すように、３次元方向の磁石の寸法をそれぞれＤ×Ｗ×Ｈと規定すると、次に記述する６つの矩形の面（以下、「矩形面」という）で構成される六面体（直方体）になっている。すなわち、永久磁石５１は、縦横寸法がＷ×Ｈで規定される２つの矩形面５１ａと、縦横寸法がＤ×Ｈで規定される２つの矩形面５１ｂと、縦横寸法がＤ×Ｗで規定される２つの矩形面５１ｃとを組み合わせた六面体になっている。ここで記述する矩形とは、長方形（正方形を含む）を意味する。永久磁石５１の２つの矩形面（たとえば、矩形面５１ａと矩形面５１ｂ）がなす角（カド）の部分は、ラウンド形状またはＣ面取り形状に形成されている。永久磁石５１は、上記寸法Ｄの半分の位置を境にして、一方の半体部分をＮ極側とし、他方の半体部分をＳ極側として磁化されている。
【００５３】
作動部材５２は、永久磁石５１を実装するとともに、一対の絞り羽根３，４を移動動作させる部材である。作動部材５２は、たとえば、樹脂の一体成型品によって構成されている。作動部材５２は、永久磁石５１を収納する収納枠５３と、この収納枠５３の上面部および下面部にそれぞれ設けられた回転軸部５４ａ，５４ｂと、収納枠５３の左右両側に突出する一対のレバー部５５とを一体に有している。
【００５４】
収納枠５３は、永久磁石５１の外形に対応した矩形の枠形状に形成されている。収納枠５３の内部は、永久磁石５１の外形寸法（Ｄ，Ｗ，Ｈ）に対応した収納空間５６になっている。収納枠５３は、底板部５７と、この底板部５７から起立する一対の側板部５８と、各々の側板部５８の上端部間に掛け渡された天板部５９とによって形成されている。そして、底板部５７、一対の側板部５８および天板部５９に囲まれた空間が収納空間５６になっている。
【００５５】
底板部５７は、平面視略円形に形成されている。底板部５７の上面には、可撓性を有するラッチ部６０が形成されている。ラッチ部６０は、収納空間５６の入口部分（永久磁石５１の挿入口部分）の開口縁に設けられている。ラッチ部６０は、収納枠５３に収納される永久磁石５１の抜けを防止するものである。これに対して、収納空間５６の奥側には、突き当て部６１（図７を参照）が設けられている。突き当て部６１は、当該突き当て部６１に永久磁石５１を突き当てることにより、収納空間５６で永久磁石５１が規定の位置に配置されるように、永久磁石５１を位置決めするものである。突き当て部６１は、底板部５７と天板部５９との間に掛け渡すように棒状に２本並んで形成されている。
【００５６】
一対の側板部５８は、左右に対をなして配置されている。これらの側板部５８は、互いに対向する状態で配置されている。各々の側板部５８は、側面視矩形に形成されている。また、各々の側板部５８の内面には、それぞれ凸部６２が設けられている。凸部６２は、収納枠５３に永久磁石５１を収納する際に、永久磁石５１が移動する方向に沿って一直線上に形成されている。また、凸部６２は、一つの側板部５８に２つずつ設けられている。各々の凸部６２は、断面三角形に形成されている。各側板部５８に設けられた２つの凸部６２は、上下に適度な間隔をあけて配置されている。また、一方の側板部５８に設けられた２つの凸部６２と、他方の側板部５８に設けられた２つの凸部６２は、底板部５７の上面を基準にして、同じ高さ位置に配置されている。このため、各側板部５８に設けられた凸部６２は、収納空間５６を介して互いに対向している。また、各々の凸部６２は、底板部５７の上面と平行に形成されている。天板部５９は、平面視略小判形に形成されている。天板部５９は、底板部５７と上下に対向する状態で配置されている。
【００５７】
回転軸部５４ａは、底板部５７の下面中央部に設けられている。回転軸部５４ａは、底板部５７の下面から下方に突出する状態で形成されている。回転軸部５４ａは、平面視円形の軸構造を有するものである。回転軸部５４ａの端面は、部分的に斜めに切り欠かれている。
【００５８】
回転軸部５４ｂは、天板部５９の上面中央部に設けられている。回転軸部５４ｂは、天板部５９の上面から上方に突出する状態で形成されている。回転軸部５４ｂの中心軸と回転軸部５４ａの中心軸とは、同軸の状態に配置されている。回転軸部５４ｂは、平面視円形の軸構造を有するものである。回転軸部５４ｂの端面は、部分的に斜めに切り欠かれている。ただし、回転軸部５４ａと回転軸部５４ｂの各端面の切り欠き部分は、互いに反対向きになっている。
【００５９】
なお、凸部６２は、一つの側板部５８に一つ設けた構成であってもよいが、収納枠５３の収納空間５６内に永久磁石５１を安定的に保持するうえでは一つの側板部５８に上下に位置をずらして２つ以上の凸部６２を設けることが好ましい。
【００６０】
一対のレバー部５５は、底板部５７の外周縁から一方と他方に延びるように形成されている。一対のレバー部５５は、それぞれクランク形状に曲げて形成されている。各々のレバー部５５の先端部には爪部６３が形成されている。一方のレバー部５５の爪部６３は、前述した絞り羽根３の係合孔１９（図５を参照）に差し込んで引っ掛けられる部分である。他方のレバー部５５の爪部６３は、前述した絞り羽根４の係合孔２３（図５を参照）に差し込んで引っ掛けられる部分である。
【００６１】
（ヨーク：図６、図７、図１０）
ヨーク３９は、外部への磁力線の漏洩を抑制するものである。ヨーク３９は、全体に円筒形に形成されている。ヨーク３９の内部空間は、上述した固定子ユニット３７、回転子ユニット３８を収容し得る大きさになっている。ただし、ボビン４１の下部と作動部材５２の下部（主にレバー部５５）は、ヨーク３９の下端部よりも下方にはみ出した状態で配置される。
【００６２】
（絞り駆動モータの動作）
図１１は絞り駆動モータの各構成部分の相対的な位置関係を模式的に示す平面図である。図示のように、永久磁石５１は、Ｎ極とＳ極に分極されている。回転軸部５４ａ，５４ｂの軸芯は、永久磁石５１の矩形面５１ｃのほぼ中心に位置している。一対のレバー部５５は、作動部材５２の底板部５７の外周縁から外向きに延びている。永久磁石５１の外側には、駆動用のコイル４２と位置検出用のコイル４３に加えて、付勢用の磁石６４が配置されている。この磁石６４は、回転軸部５４ａ，５４ｂを中心とした回転子ユニット３８の回転方向において、回転子ユニット３８を一方向に付勢するものである。磁石６４の構造的な形態は、たとえば、平らな板状、円弧状の板状、角柱形、円柱形、半円の柱状など、いずれの形態であってもよい。磁石６４は、上述したボビン４１の外周部に取り付けられる。磁石６４は、たとえば図示のようにＳ極を永久磁石５１側に向けた状態で配置される。また、磁石６４は、回転軸部５４ａ，５４ｂを中心とした回転子ユニット３８の回転方向において、たとえば、駆動用のコイル４２と略９０度位相をずらした位置に配置されている。
【００６３】
上記の配置において、駆動用のコイル４２に電流を供給していないときは、永久磁石５１のＮ極と付勢用の磁石６４のＳ極との間に働く磁気吸引力（以下、「第１の磁気吸引力」とも記す）により、回転子ユニット３８が反時計回り方向（ＣＣＷ方向）に付勢される。このように回転子ユニット３８を反時計回り方向に付勢すると、回転子ユニット３８は反時計回り方向の終端位置まで回転した状態となる。
【００６４】
これに対して、駆動用のコイル４２に電流を供給して図示のような磁極（Ｎ極、Ｓ極）を形成すると、永久磁石５１のＮ極とコイル４２のＳ極との間に磁気吸引力（以下、「第２の磁気吸引力」とも記す）が働く。このため、回転子ユニット３８は、第２の磁気吸引力によって時計回り方向（ＣＷ方向に）に回転する。このとき、回転子ユニット３８は、第１の磁気吸引力と第２の磁気吸引力を同時に受ける。このため、回転子ユニット３８は、回転軸部５４ａ，５４ｂを中心とした回転方向において、磁石６４から受ける第１の磁気吸引力とコイル４２から受ける第２の磁気吸引力とが平衡状態となる位置に保持される。また、第１の磁気吸引力に比較して第２の磁気吸引力が十分に大きくなるように、駆動用のコイル４２に電流を供給すると、回転子ユニット３８は時計回り方向の終端位置まで回転した状態となる。
【００６５】
その後、駆動用のコイル４２への電流供給を停止すると、第２の磁気吸引力が消滅する。このため、回転子ユニット３８は、付勢用の磁石６４から受ける第１の磁気吸引力により、反時計回り方向の終端位置まで回転した状態になる。
【００６６】
以上のことから、駆動用のコイル４２に供給する電流の量を図示しないモータ制御回路の電流供給部で調整（増減）することにより、回転子ユニット３８の回転方向の位置を制御することができる。回転子ユニット３８の回転方向の位置は、一対の絞り羽根３，４が形成する絞り開口の大きさを決定する要素となる。このため、回転子ユニット３８の回転方向の位置を制御することにより、絞り開口の大きさを調整することが可能となる。
【００６７】
また、一対の絞り羽根３，４の動作と絞り駆動モータ６の動作との関係は、次に述べる第１の関係および第２の関係のいずれで設定してもよい。第１の関係は、回転子ユニット３８を反時計回り方向の終端位置まで回転させたときに、一対の絞り羽根３，４が形成する絞り開口が最大になり、回転子ユニット３８を時計回り方向の終端位置まで回転させたときに、一対の絞り羽根３，４が形成する絞り開口が最小になる関係である。これに対して、第２の関係は、回転子ユニット３８を反時計回り方向の終端位置まで回転させたときに、一対の絞り羽根３，４が形成する絞り開口が最小になり、回転子ユニット３８を時計回り方向の終端位置まで回転させたとき、一対の絞り羽根３，４が形成する絞り開口が最大になる関係である。
【００６８】
ちなみに、回転子ユニット３８が反時計回り方向に回転するときの終端位置は、たとえば、永久磁石５１と一体に回転する作動部材５２の一方のレバー部５５が、絞り基板２の一部に突き当てられることで規制される。また、回転子ユニット３８が時計回り方向に回転するときの終端位置は、たとえば、作動部材５２の他方のレバー部５５が、絞り基板２の他部に突き当てられることで規制される。
【００６９】
また、永久磁石５１が回転すると、これに伴う磁場の変化によって位置検出用のコイル４３に電流が流れる。このとき、コイル４３に流れる電流の量および方向は、永久磁石５１の回転量および回転方向によって変わる。このため、コイル４３に流れる電流の量および方向を図示しないモータ制御回路の電流検出部で検出することにより、回転子ユニット３８（永久磁石５１、作動部材５２）の回転方向の位置、ひいては絞り開口の大きさを検出することが可能となる。
【００７０】
（回転子ユニットの組み立て手順）
次に、回転子ユニット３８の組み立て手順について説明する。回転子ユニット３８の組み立ては、永久磁石５１と作動部材５２とを用いて行う。まず、作動部材５２の収納枠５３内に横方向から永久磁石５１を挿入する。そうすると、収納枠５３の収納空間５６の入口部分では、永久磁石５１がラッチ部６０に接触するとともに、永久磁石５１の下面（下側の矩形面５１ｃ）に押されてラッチ部６０が撓んだ状態となる。
【００７１】
次に、永久磁石５１の一方の矩形面５１ａが、収納空間５６の奥側で突き当て部６１に突き当たるまで永久磁石５１を押し込む。そうすると、ラッチ部６０の上を永久磁石５１が完全に通過した状態となる。また、永久磁石５１は、収納空間５６の規定の位置に収納された状態となる。この状態になると、永久磁石５１の通過に伴って、それまで撓んでいたラッチ部６０が元の状態に復帰する。これにより、ラッチ部６０は、永久磁石５１の一方の矩形面５１ａに接触または近接した状態となる。この状態では、永久磁石５１を収納空間５６から引き抜こうとしても、永久磁石５１がラッチ部６０に引っ掛かるため、ラッチ部６０によって永久磁石５１の抜けが防止される。
【００７２】
また、収納枠５３の収納空間５６においては、永久磁石５１が次のように配置される。すなわち、永久磁石５１の外面を構成する６つの矩形面のうち、２つの矩形面５１ｂは、一対の側板部５８の内面に対面した状態となり、他の２つの矩形面５１ｃは、底板部５７と天板部５９にそれぞれ対面した状態となる。また、永久磁石５１の２つの矩形面５１ｂに対しては、それぞれに対応する側板部５８内面の２つの凸部６２が接触した状態となる。このため、収納枠５３内においては、各々の側板部５８の内面に２つずつ設けられた凸部６２により永久磁石５１が両側から挟み込まれ、この状態で永久磁石５１が収納枠５１内に保持される（図８を参照）。これにより、永久磁石５１が作動部材５２に実装されるとともに、永久磁石５１と作動部材５２を一体化した構成の回転子ユニット３８が得られる。
【００７３】
このように組み立てられた回転子ユニット３８においては、収納枠５３から上方および下方に突出する一対の回転軸部５４ａ，５４ｂが、共通の仮想軸Ｊ（図６〜図９を参照）上に位置する。この仮想軸Ｊは、回転子ユニット３８の回転中心軸に相当するものである。仮想軸Ｊは、収納枠５３に収納された永久磁石５１の内部を通るように設定されている。
【００７４】
上記の仮想軸Ｊは、永久磁石５１の重心部分を通るように設定されていることが好ましい。その理由は、次のとおりである。すなわち、回転子ユニット３８を構成する永久磁石５１および作動部材５２のうち、永久磁石５１は金属であるのに対して、作動部材５２は樹脂である。このため、回転子ユニット３８全体に占める永久磁石５１の質量の割合は高い。また、回転子ユニット３８は、固定子ユニット３７に取り付けられた状態で仮想軸Ｊを中心に回転する。したがって、仮想軸Ｊを中心に永久磁石５１が回転したときの回転子ユニット３８全体の質量バランスを考慮すると、上記の仮想軸Ｊは、永久磁石５１の重心部分を通るように設定されていることが好ましい。
【００７５】
（絞り駆動モータの組み立て手順）
次に、絞り駆動モータ６の組み立て手順について説明する。絞り駆動モータ６の組み立ては、固定子ユニット３７、回転子ユニット３８およびヨーク３９を用いて行う。まず、コイル４２，４３を巻線済みのボビン４１を用意する。ボビン４１にコイル４２，４３を巻線する場合は、可動アーム４８の先端部の上方を経由するように、ボビン４１のセパレータ４７で区切られた溝部分に、それぞれコイル４２，４３を巻線する。
【００７６】
次に、ボビン４１の収容空間４４に回転子ユニット３８を挿入することにより、収納枠５３に収納された状態の永久磁石５１をボビン４１の収容空間４４に収容する。その際、可動アーム３８は、回転軸部５４ｂに押し上げられて弾性変形する。これにより、可動アーム３８は、回転軸部５４ｂが軸受孔４９に嵌合することを許容する状態となる。以下、詳しく説明する。
【００７７】
まず、回転子ユニット３８の一方のレバー部５５をボビン４１の収容空間４４の入口部分から挿入した後、当該一方のレバー部５５をボビン４１の通孔４１ａ（図６を参照）に通す。これにより、一対のレバー部５５の先端部（爪部６３）は、いずれもボビン４１の外側に突出した状態となる。
【００７８】
また、上述のようにボビン４１に回転子ユニット３８を挿入する場合は、収容空間４４の底部の軸受孔４５に回転軸部５４ａを嵌合させるとともに、可動アーム４８の先端部の軸受孔４９に回転軸部５４ｂを嵌合させる。具体的な組み付け順序としては、まず、収納枠５３の下方に突出する回転軸部５４ａをボビン４１の軸受孔４５に嵌合させる。このとき、ボビン４１の案内面４６に回転軸部５４ａの下端を接触させ、その状態で回転軸部５４ａを案内面４６に沿ってスライドさせることにより、回転軸部５４ａを軸受孔４５へと導くようにする。
【００７９】
次に、回転軸部５４ａと軸受孔４５の嵌合状態を維持しつつ、収納枠５３の上方に突出する回転軸部５４ｂを可動アーム４８の軸受孔４９に嵌合させる。このとき、回転軸部５４ｂが可動アーム４８の軸受孔４９に嵌り込む前に、回転軸部５４ｂの上端が可動アーム４８に接触する。このため、可動アーム４８の先端側（軸受孔４９の形成部位側）は、回転軸部５４ｂに押し上げられて弾性変形する。そして、回転軸部５４ｂが可動アーム４８の先端部に達すると、そこに形成されている軸受孔４９に回転軸部５４ｂが嵌り込む。このとき、回転軸部５４ｂと軸受孔４９との嵌合状態は、それまで回転軸部５４ｂに押し上げられていた可動アーム４８自身の撓み反力（弾性変形による反力）によって得られる。これにより、仮想軸Ｊを中心として回転子ユニット３８が固定子ユニット３７に回転可能に取り付けられた状態となる。この状態では回転子ユニット３８の回転動作が双方向に許容される。また、回転子ユニット３８の回転動作は、１８０度未満の角度範囲内（たとえば、６０度程度）に制限される。
【００８０】
ここで、上述のように可動アーム４８の先端側が回転軸部５４ｂによって押し上げられた場合の押し上げ量は、回転軸部５４ｂが軸受孔４９に嵌合する直前に最大となる。本実施の形態においては、可動アーム４８が回転軸部５４ｂによって最大に押し上げられた状態でも、可動アーム４８がコイル４２，４３の巻線位置（最内周のコイル巻線部分）に干渉しないように、可動アーム４８の先端部とこれに対向するコイル４２，４３の巻線位置との間に、可動アーム４８の最大の押し上げ量以上の空隙Ｇ（図１０を参照）が確保されている。
【００８１】
こうして固定子ユニット３７に回転子ユニット３８を一体的に組み付けたら、その状態で固定子ユニット３７の外側にヨーク３９を被せる。次に、ヨーク３９の上端部に中継基板３４を配置する。このとき、中継基板３４に設けられている４つの孔３４ａ（図７を参照）にそれぞれボビン４１の端子５０を挿入し、両者を電気的に接続する。以上で絞り駆動モータ６の組み立てが完了する。
【００８２】
＜５．実施の形態に係る効果＞
本発明の実施の形態に係る絞り装置１においては、固定子ユニット３７のボビン１４に可動アーム３８を一体に形成し、この可動アーム３８の先端部の軸受孔５４ｂを利用して、固定子ユニット３７に回転子ユニット３８を回転可能に取り付けることができる。このため、固定子ユニット３７に回転子ユニット３８を取り付ける場合に、従来必要とされていた軸受部材等を用いなくても済む。これにより、部品点数の削減や組み立て工数の削減を図ることができる。
【００８３】
また、永久磁石５１をボビン４１の収容空間４４に収容する際に、可動アーム３８が回転軸部５４ｂに押し上げられて弾性変形することにより、回転軸部５４ｂが軸受孔４９に嵌合することを許容する構成となっている。このため、回転軸部５４ａを軸受孔４５に嵌合させた後、回転軸部５４ｂを軸受孔４９に位置合わせするだけで両者を嵌合させることができる。したがって、固定子ユニット３７に回転子ユニット３８を簡単かつ迅速に組み付けることができる。また、可動アーム３８を弾性変形させたときの反力を利用して回転軸部５４ｂを軸受孔４９に嵌合させ、その状態を保持することができる。
【００８４】
また、ボビン４１の構成として、収容空間４４の底部に案内面４６を形成している。このため、固定子ユニット３７に回転子ユニット３８を組み付ける場合に、案内面４６に沿って回転軸部５４ａをスライドさせることにより、回転軸部５４ａを軸受孔４５にスムーズに嵌合させることができる。
【００８５】
また、可動アーム４８の先端部とこれに対向するコイル４２，４３の巻線位置との間に、可動アーム４８の最大の押し上げ量以上の空隙Ｇを確保している。このため、回転軸部４８ｂによって可動アーム４８が押し上げられた場合でも、可動アーム４８がコイル４２，４３の巻線位置に干渉することがない。したがって、ボビン４１にコイル４２，４３が巻線されているかどうかに関係なく、固定子ユニット３７に回転子ユニット３８を組み付けることができる。
＜６．変形例等＞
なお、本発明の技術的範囲は上述した実施の形態に限定されるものではなく、発明の構成要件やその組み合わせによって得られる特定の効果を導き出せる範囲において、種々の変更や改良を加えた形態も含む。
【００８６】
たとえば、上記実施の形態においては、角柱形の永久磁石５１をコアとして回転子ユニット３８を構成したが、本発明はこれに限らず、たとえば、円柱形の永久磁石をコアとして回転子ユニットを構成した場合にも適用可能である。
【００８７】
また、上記実施の形態においては、作動部材５２の構成として、左右一対の側板部５８にそれぞれ凸部６２を設けているが、本発明はこれに限らず、いずれか一方の側板部５８だけに凸部６２を設けた構成を採用してもよい。
【００８８】
また、上記実施の形態においては、回転子ユニット３８の回転方向の位置を、ボビン４１に巻線したコイル４３を用いて検出する構成としたが、これに限らず、たとえば、コイル４３に代えてホール素子（不図示）を用いた構成であってもよい。
【００８９】
また、上記実施の形態においては、絞り装置１に用いられる絞り駆動モータ６およびフィルタ駆動モータ７のうち、絞り駆動モータ６についてのみ詳細に説明したが、これに限らず、フィルタ駆動モータ７に絞り駆動モータ６と同様の構成（図６〜図１０に示す構成）を採用してもよい。ただし、フィルタ駆動モータ７が備える作動部材（不図示）のレバー部の構造は、最終的にフィルタユニット５に動力を伝達する動力伝達機構に適合した構造とする必要がある。
【符号の説明】
【００９０】
１…絞り装置
２…絞り基板
３，４…絞り羽根（絞り部材）
５…フィルタユニット
６…絞り駆動モータ
７…フィルタ駆動モータ
３７…固定子ユニット
３８…回転子ユニット
３９…ヨーク
４１…ボビン
４２，４３…コイル
４４…収容空間
４５…軸受孔（第１の軸受孔）
４６…案内面
４８…可動アーム
４９…軸受孔（第２の軸受孔）
５１…永久磁石
５２…作動部材
５４ａ，５４ｂ…回転軸部
１５０…カメラ
１５５…撮像素子（光電変換素子）
Ｇ…空隙
【図１】
2013073203.tif 000003
【図２】
2013073203.tif 000004
【図３】
2013073203.tif 000005
【図４】
2013073203.tif 000006
【図５】
2013073203.tif 000007
【図６】
2013073203.tif 000008
【図７】
2013073203.tif 000009
【図８】
2013073203.tif 000010
【図９】
2013073203.tif 000011
【図１０】
2013073203.tif 000012
【図１１】
2013073203.tif 000013
【図１２】
2013073203.tif 000014
【図１３】
2013073203.tif 000015
【図１４】
2013073203.tif 000016